(57)【要約】【課題】衣服用の改良された印刷可能ヒータを提供する。【解決手段】本発明は、ウエアラブウ衣服における使用のための改良された印刷ヒータを提供する。改良は、単一の大面積の抵抗材料層をいくつかの小さい抵抗材料パッチに置き換えること、すなわち、単一の大面積のヒータをいくつかのより小さい個別ヒータに置き換えることを含む。抵抗材料の印刷は、それぞれの抵抗材料パッチの面積が大きく減少されるので容易化される。加えて、一部の実施形態は、通気性ヒータを与える機会を可能にする。【選択図】図１
2018178349.tif 000002
【特許請求の範囲】
【請求項１】
基材上にヒータを有するウエアラブル衣服であって、前記ヒータは、前記ヒータの全面積の最大９０％に及ぶ、列に配置された複数の個別ヒータを含むことを特徴とするウエアラブル衣服。
【請求項２】
それぞれの個別ヒータは、バスバーと、印刷電極と、抵抗加熱性要素として役立つための印刷抵抗材料とを含み、前記電極は、前記電極に接している前記印刷抵抗材料とともに２組の指状電極を与えるように櫛型パターンで印刷され、かつそれぞれの個別ヒータは、バスバーをさらに含み、前記個別ヒータは、図１に例示されるように配置されたことを特徴とする請求項１に記載のウエアラブル衣服。
【請求項３】
それぞれの個別ヒータは、バスバーと、印刷電極と、抵抗加熱性要素として役立つための印刷抵抗材料とを含み、前記電極は、前記電極に接している前記印刷抵抗材料とともに２組の指状電極を与えるように櫛型パターンで印刷され、かつそれぞれの個別ヒータは、バスバーをさらに含み、前記個別ヒータは、図２に例示されるように配置されたことを特徴とする請求項１に記載のウエアラブル衣服。
【請求項４】
前記ヒータは、
ａ）基材と、
ｂ）それぞれが所与の幅の指状電極からなる２組の電極を与えるように櫛型パターンで印刷された電極と、
ｃ）２つの印刷バスバーであって、前記第１組の電極は一方のバスバーに接続され、前記第２組の電極は他方のバスバーに接続されて、前記２つのバスバー間に櫛型電極の列を与える、該バスバーと、
ｄ）前記指状電極に平行に印刷された抵抗材料のストリップであって、それぞれの抵抗材料ストリップは、それぞれの抵抗材料ストリップが前記第１組の電極からの一つの指状電極および前記第２組の電極からの一つの指状電極に接しているように、隣接した電極間の距離に少なくとも等しい幅と、指状電極の幅に加えて隣接した電極間の距離の２倍以下の幅とを有し、それぞれの抵抗材料ストリップは、露出基材を含む個別ヒータ間の領域とともに個別ヒータを形成するようにそれが接している前記２つの電極の長さに沿って延在し、かつ前記電極および前記バスバーは、前記抵抗材料ストリップの前または後に前記基材上に印刷できる、該抵抗材料のストリップと
を含むことを特徴とする請求項１に記載のウエアラブル衣服。
【請求項５】
前記抵抗材料ストリップの数は、それぞれの組の電極上の指状電極の数に等しいことを特徴とする請求項４に記載のウエアラブル衣服。
【請求項６】
前記個別ヒータは、図３に例示されるように配置されたことを特徴とする請求項５に記載のウエアラブル衣服。
【請求項７】
前記ヒータは、２つの印刷バスバーと、一方のバスバーに接続された一方の組および他方のバスバーに接続された他方の組を有する２組の指状電極を与えるように櫛型パターンで印刷された電極と、印刷抵抗材料のパッチの列とを含み、隣接した指状電極のそれぞれの対の間には、前記対の電極の両方に接している一連の前記抵抗材料パッチがあり、前記一連の抵抗材料パッチは、前記隣接した電極の対の長さに沿っておよび隣接した一連の抵抗パッチ間の両方で空所により分離されており、かつ抵抗材料のそれぞれのパッチおよびその接している電極は個別ヒータを形成することを特徴とする請求項１に記載のウエアラブル衣服。
【請求項８】
前記抵抗材料パッチおよび空所の列は、図４に例示されるように配置されたことを特徴とする請求項７に記載のウエアラブル衣服。
【請求項９】
前記ヒータは、２つの電極であって、それぞれが、それぞれの外側端部からそれぞれの内側端部に減少する距離とともに固定中心点の周りにスパイラルワインディングする形状であり、それぞれのスパイラルが他に対して間を空けるように置かれ、その結果、スパイラルの前記外側端部からの前記中心点までの線が、最初の一方の電極、次いで、他方の電極を交互に横切る、該２つの電極と、それぞれのパッチが２つの電極に接しているように、前記スパイラルのいくつかの半径に沿って印刷された、抵抗材料の一連のパッチとを含むことを特徴とする請求項１に記載のウエアラブル衣服。
【請求項１０】
前記抵抗材料パッチおよび空所の列が、図６に例示されるように配置されたことを特徴とする請求項９に記載のウエアラブル衣服。
【発明の詳細な説明】
【技術分野】
【０００１】
本発明は、ウエアラブル衣服における改良された印刷可能ヒータに関する。
【背景技術】
【０００２】
加熱可能なウエアラブル（ｗｅａｒａｂｌｅ）衣服の提供への関心が増している。現在典型的な市販の加熱ジャケットは、抵抗線で加熱される。これらのジャケットは、抵抗線間の面積が、布地を通気させる利点を有する。しかしながら、それらは、抵抗線の存在がジャケットを不快にさせる不利点を有する。代替案は、着用者により大きな快適を与える印刷構成要素を有するヒータを使用することである。このような加熱衣服の構成要素の一つは、抵抗材料、例えば、カーボンの層であり、これは抵抗加熱性要素として役立つ。このような層は、衣服のかなりの部分に及ぶことができる。現在利用可能な組成物を使用して適切な厚さおよび一様性を有する大面積の抵抗材料層を印刷することは困難である。このような大きな印刷層はまた、通気性でない、衣服の一部、したがって、着用者にとっての不快の原因をもたらす。ウエアラブル衣服のための改良されたヒータに対する必要性がある。
【発明の概要】
【課題を解決するための手段】
【０００３】
本発明は、ウエラブル（ｗｅａｒａｂｌｅ）衣服における使用のための改良された印刷ヒータを提供する。改良は、単一の大面積の抵抗材料層をいくつかの小さいパッチの抵抗材料に置き換えること、すなわち、単一の大面積のヒータをいくつかのより小さい個別ヒータに置き換えることを含む。抵抗材料の印刷は、それぞれの抵抗材料パッチの面積が大きく減少されるので、容易化される。さらに、一部の実施形態は、通気性ヒータを与える機会を可能にする。
【０００４】
したがって、本発明は、ヒータが、列に配置された複数の個別ヒータを有する、ヒータを有するウエアラブル衣服を提供する。
【０００５】
一実施形態において、個別ヒータの列は、ヒータの全面積の最大９０％に及び、残りの面積は、透過性材料を含む。
【０００６】
一実施形態において、それぞれの個別ヒータは、印刷バスバー（ｂｕｓ  ｂａｒｓ）と、印刷電極と、抵抗加熱性要素として役立つ印刷抵抗材料とを含む。一つのこのような実施形態において、電極は、電極に接している抵抗材料の印刷層とともに２組の指状電極を与えるように櫛型パターンで印刷される。一部の実施形態において、印刷された電極およびバスバーは、銀電極および銀バスバーであり、抵抗材料の印刷層はカーボンの層である。他の実施形態において、印刷された電極およびバスバーは、銅電極および銅バスバーであり、抵抗材料の印刷層は、カーボンの層である。さらに他の実施形態において、印刷された電極およびバスバーは、銀−塩化銀、金またはアルミニウムである。
【０００７】
第２の種類の実施形態において、単一組のバスバーは、印刷電極のすべてに接続し、個別ヒータすべての印刷抵抗材料にわたって電圧を与える。一部の実施形態において、印刷電極は銀電極であり、他の実施形態において、それらは銅電極である。一部の実施形態において、印刷抵抗層は、カーボンの層である。
【０００８】
第３の種類の実施形態において、２つの印刷電極だけが、個別ヒータすべての印刷抵抗材料にわたって電圧を与える。
【図面の簡単な説明】
【０００９】
【図１】図１は、衣服用の印刷されたヒータであって、ヒータの全面積の９０％未満に及ぶ、列に配置された複数の個別ヒータを含み、残りの面積は透過性材料を含む、ヒータの一実施形態を例示する。
【図２】図２は、衣服用の印刷されたヒータであって、ヒータの全面積の９０％未満に及ぶ、列に配置された複数の個別ヒータを含み、残りの面積は透過性材料を含む、ヒータの別の実施形態を例示する。
【図３】図３は、衣服用のヒータであって、個別ヒータは、対の櫛型電極と、個別ヒータ間の露出基材との間に印刷された抵抗材料ストリップを含む、ヒータの実施形態を例示する。
【図４】図４は、印刷された抵抗パッチを、パッチと同様のサイズのパッチ間空所とともに含み、パッチおよび空所は、チェックボード状パターンで配列されている、衣服用のヒータの一実施形態を例示する。
【図５】図５は、印刷された抵抗パッチをそれらの間の空所であって、空所のサイズが相当に減少されており、パッチのサイズのごく一部である空所とともに含む、図４に例示された衣服用のヒータのタイプのヒータの第２の実施形態を例示する。
【図６】図６は、２つのスパイラル電極、およびいくつかの半径に沿って印刷された抵抗材料のパッチを有する衣服用のヒータを例示する。
【発明を実施するための形態】
【００１０】
本発明は、ウエアラブル衣服における使用のための改良された印刷ヒータに関する。改良は、大面積の抵抗材料層を有する単一ヒータの代わりに、それらのそれぞれが個別ヒータとして役立つ、抵抗材料のいくつかの小パッチの使用によってもたらされる。抵抗材料の多数の小パッチを印刷する能力は、抵抗材料のより一様な面積、したがって、個別ヒータおよびこれらの個別ヒータを含むヒータの改良された性能をもたらす。一実施形態は、ヒータの全面積の最大９０％に及ぶ、列で配置された複数の個別ヒータを含むヒータを有する。別の実施形態は、ヒータの全面積の最大７５％に及ぶ、列で配置された複数の個別ヒータを含むヒータを有する。さらに別の実施形態は、ヒータの全面積の最大５０％に及ぶ、列で配置された複数の個別ヒータを含むヒータを有する。
【００１１】
ヒータがその上に印刷される基材が透過性である場合、ヒータは、空気および湿気が通過する意味で通気性である追加の利点を有する。個別ヒータによりカバーされていない基材の領域、すなわち、個別ヒータ間の面積は、透過性かつ通気性である。これは、着用者に追加の快適を与える。ウエアラブル衣服それ自体が、個別ヒータを含むヒータがその上に印刷される透過性布地から構成されもよいか、またはヒータが、衣服に付着されている透過性ポリマー基材上に印刷されてもよい。基材が透過性である場合に追加の通気性を与えるために、または基材が透過性でない場合に通気性を与えるために、開口部は、個別ヒータによりカバーされていない基材の領域、すなわち、個別ヒータ間の面積に作ることができる。
【００１２】
本発明で使用される場合、「２つのバスバー（ｂｕｓ  ｂａｒｓ）」は、印刷電極に接続し、電圧を与える印刷導体を意味するために使用される。それらにわたって印加される電圧とともにそれぞれのヒータについて２つのバスバーがある。一部の実施形態において、バスバーを別個の部分に分離することが便利であり得る。このような実施形態は、「２つのバスバー」の使用に含まれる。
【００１３】
それぞれの個別ヒータは、その個別ヒータのための抵抗加熱性要素として役立つ、印刷された抵抗材料のパッチを含む。それぞれの個別ヒータは、抵抗パッチにわたって電圧を与えるための印刷電極をさらに含む。一部の実施形態において、電極は、櫛型パターンで印刷されて、２組の指状電極を、その電極に接している印刷抵抗材料とともに与える。２組の櫛型電極は、抵抗パッチすべてに電圧を与えてもよい。代わりに、それぞれの個別ヒータは、それ自体の組の電極を有してもよい。典型的には、抵抗パッチは、櫛型電極のそれぞれの組からの１つの電極に接している。代わりに、抵抗パッチは、櫛型電極のそれぞれの組からの２つ以上の電極に接していてもよい。典型的には、櫛型電極の１組からの、ヒータにおける電極のすべては、１つのバスバーに接続されており、櫛型電極の他の組からの電極のすべては、第２のバスバーに接続されている。代わりに、それぞれの個別ヒータは、それ自体の組のバスバーを有してもよい。
【００１４】
電極およびいずれのバスバーも、抵抗材料パッチの前または後に基材上に印刷することができる。
【００１５】
本明細書で言及される電極およびバスバーは、金属を含有するポリマー厚膜ペーストから形成され、すなわち、印刷された銀電極およびバスバーは、ポリマー厚膜銀ペーストを使用して形成される。抵抗材料も、ポリマー厚膜ペーストを使用して印刷され、すなわち、印刷された抵抗材料が印刷されたカーボンである場合、それは、ポリマー厚膜カーボンペーストを使用して形成される。ポリマー厚膜ペーストを使用する場合に、ポリマーは、最終組成物の一体部分、すなわち、電極、バスバー、または抵抗材料である。
【００１６】
上記実施形態のいくつかが、図を参照してさらに検討される。
【００１７】
図１は、個別ヒータを有するヒータを例示し、個別ヒータそれぞれは、印刷バスバーと、印刷抵抗材料パッチと、基材上にすべて印刷された２組の指状電極を与えるように櫛型パターンで印刷された電極とを含む。ヒータ１は、ヒータ構造の明瞭な視図を与えるために９つの個別ヒータ２によって示される。それぞれの個別ヒータは、１対のバスバー３および４と、抵抗材料５のパッチとから構成される。それぞれの個別ヒータは、バスバー３に取り付けられた１組の電極６とバスバー４に取り付けられた他の組の電極７とを有する２組の指状電極を与えるように、櫛型パターンで印刷された電極からさらに構成される。抵抗材料５は、電極６および７に接している。バスバー８は、個別のバスバー３および４に電圧を与える。基材の領域９、すなわち、個別ヒータ間の面積は露出されている。基材が透過性かつ通気性である場合、これはヒータにおいて通気性面積を与える。多くのより小さい個別ヒータおよび対応して抵抗材料のより小さいパッチを有するこのタイプのヒータは、同様に構造化される。
【００１８】
図２は、個別ヒータを有する別のヒータを例示し、個別ヒータそれぞれは、印刷バスバーと、印刷抵抗材料パッチと、基材上にすべて印刷された２組の指状電極を与えるように櫛型パターンで印刷された電極とを含む。このヒータは、個別バスバーに電極を与える代わりの仕方を有する。ヒータ１１は、ヒータ構造の明瞭な視図を与えるために１６個の個別ヒータ１２によって示される。それぞれの個別ヒータは、１対のバスバー１３および１４と、抵抗材料１５のパッチとから構成される。それぞれの個別ヒータは、バスバー１３に取り付けられた１組の電極とバスバー１４に取り付けられた他の組の電極とを有する２組の指状電極を与えるように、櫛型パターンで印刷された電極からさらに構成される。しかしながら、示された実施形態では、電極は、最初に堆積され、抵抗材料１５のパッチは、櫛型電極を覆う。印刷抵抗材料１５は、電極に接している。接続導体１６および１７は、個別バスバー１３および１４に電圧を与える。基材の領域１８、すなわち、個別ヒータによってカバーされていない面積は、露出されている。基材が透過性かつ通気性である場合、これはヒータにおいて通気性面積を与える。多くのより小さい個別ヒータおよび対応して抵抗材料のより小さいパッチを有するこのタイプのヒータは、同様に構造化される。
【００１９】
図３は、ヒータを例示し、基材と、それぞれが所与の幅の指状電極からなる２組の電極を与えるように櫛型パターンで印刷された電極と、２つの印刷バスバーと、ここで、第１組の電極は一方のバスバーに接続され、第２組の電極は他方のバスバーに接続されて、２つのバスバー間に櫛型電極の列を与え、すべて基材上に印刷された、指状電極に平行に印刷されたストリップの形態の抵抗材料のパッチと、を含む。個別ヒータはそれぞれ、２組の電極のそれぞれからの電極と、抵抗材料のストリップとを含む。ヒータ２１は、１２個の個別ヒータ２２によって示される。個別ヒータ２２はそれぞれ、一方の組の電極からの一つの電極２３および他方の組の電極からのもう一つの電極２４である２つの電極と、抵抗材料のストリップ２５とを含む。それぞれの抵抗材料ストリップ２５は、それぞれの抵抗材料ストリップが第１組の電極からの一つの指状電極および第２組の電極からの一つの指状電極に接しているように隣接した電極間の距離に少なくとも等しい幅と、指状電極の幅に加えて隣接した電極間の距離の２倍以下の幅とを有し、ここで、それぞれの抵抗材料ストリップは、露出基材２６を含む個別ヒータ間の領域を有する個別ヒータを形成するようにそれが接している２つの電極の長さに沿って延在している。基材が透過性かつ通気性である場合、これはヒータにおいて通気性面積を与える。基材が透過性である場合に追加の通気性を与えるように、または基材が透過性でない場合に通気性を与えるように、開口部は、個別ヒータによってカバーされていない基材の領域、すなわち、個別ヒータ間の露出基材２６の面積に作ることができる。
【００２０】
様々な実施形態において、隣接した電極間の距離は、減少しても、または増加してもよい。２つのバスバー２７および２８は、それぞれ、２組の電極２３および２４に電圧を与える。電極およびバスバーは、抵抗材料ストリップの前または後に基材上に印刷することができる。端子２９および３０は、それぞれ、バスバー２７および２８に電圧を与える。示されるとおりのバスバーは、長さおよび幅を有する矩形である。改良された性能のために、バスバーは、バスバーの幅が、端子から離れてその長さに沿って減少されるように先細りにすることができる。
【００２１】
図４は、衣服用のヒータの一実施形態を例示し、印刷抵抗パッチを、それらの間にパッチにサイズが同様の空所とともに含み、パッチおよび空所は、チェックボード状パターンで配列され、ヒータは、２つの印刷バスバーと、一方のバスバーに接続された一方の組および他方のバスバーに接続された他方の組を有する２組の指状電極を与えるように櫛型パターンで印刷された電極と、すべて基材上に印刷された印刷抵抗材料のパッチの列とを含む、。ヒータ３１は、４７３個の個別ヒータ３２によって示される。個別ヒータ３２はそれぞれ、一方の組の電極からの一つの電極３３および他方の組の電極からのもう一つの電極３４である２つの電極と、抵抗材料のパッチ３５とを含む。隣接した指状電極３３および３４のそれぞれの対の間には、対の電極の両方に接している一連の抵抗材料パッチ３５がある。一連の抵抗材料パッチ３５は、隣接した電極の対の長さに沿っておよび隣接した一連の抵抗パッチ間での両方で空所３６によって分離される。図４に示されるとおりに、抵抗材料パッチ３５を分離する空所３６は、抵抗材料パッチおよび空所の全列がチェックボード状パターンを形成するように抵抗材料パッチにサイズが同様である。基材が透過性かつ通気性である場合、空所３６は、ヒータにおいて通気性面積を与える。基材が透過性である場合に追加の通気性を与えるために、または基材が透過性でない場合に通気性を与えるために、開口部は空所３６に作ることができる。バスバー３７および３８は、それぞれ、２組の電極３３および３４に電圧を与える。
【００２２】
図５は、例４に例示された衣服用のヒータのタイプのヒータの第２の実施形態を例示し、印刷抵抗パッチをそれらの間の空所とともに含み、空所のサイズは、相当に減少されており、パッチのサイズのごく一部である。ヒータは再度、２つの印刷バスバーと、一方のバスバーに接続された一方の組および他方のバスバーに接続された他方の組を有する２組の指状電極を与えるように櫛型パターンで印刷された電極と、すべて基材上に印刷された、印刷抵抗材料のパッチの列とを含む。ヒータ４１は、９００個の個別ヒータ４２によって示される。個別ヒータ４２はそれぞれ、一方の組の電極からの一つの電極４３および他方の組の電極からの第２の電極４４である２組の電極と、抵抗材料のパッチ４５とを含む。隣接した指状電極４３および４４のそれぞれの対の間には、対の電極の両方に接している一連の抵抗材料パッチ４５がある。一連の抵抗材料パッチ４５は、隣接した電極の対の長さに沿っておよび隣接した一連の抵抗パッチ間での両方で空所４６によって分離される。図５に示されるとおりに、抵抗材料パッチ４５を分離する空所４６は、図４に示されたものから大きく減少されており、９００個の抵抗材料パッチは互いに極めて近い。小さい印刷パッチは、一つの大きな抵抗材料層で達成され得るよりもより一様である。バスバー４７および４８は、それぞれ、２組の電極４３および４４に電圧を与える。
【００２３】
図６は、２つのスパイラル電極とそのスパイルのいくつかの半径に沿って印刷された抵抗材料のパッチとを有する衣服用のヒータを例示し、ヒータは、２つの電極であって、それぞれが、それぞれの外側端部からそれぞれの内側端部に減少する距離とともに固定中心点の周りにスパイラルワインディングする形状であり、それぞれのスパイラルが他に対して間を空けるように置かれ、その結果、スパイラルの外側端部からの中心点までの線が、最初の一方の電極、次いで、他方の電極を交互に横切る、２つの電極と、それぞれのパッチが２つの電極に接しているように、スパイラルの半径と本明細書で称される、スパイラルの外側端部から中心点へのいくつかの線に沿って印刷された、抵抗材料の一連のパッチとを含む。ヒータ５１は、１１１個の個別ヒータ５２によって示される。個別ヒータ５２はそれぞれ、２つのスパイラル電極５３および５４と、両電極に接している、抵抗材料のパッチ５５とを含む。かなりの量の露出基材５６がある。基材が透過性かつ通気性である場合、露出基材５６は、ヒータにおいて通気性面積を与える。通気性を与えるために露出基材の面積に開口部を作ることができる。
【実施例】
【００２４】
実施例１
図４に示されるとおりの、抵抗パッチが比較的まばらに与えられたヒータを作製し、試験した。使用した基材は、厚さ０．０９ｍｍの熱可塑性ポリウレタンＢｅｍｉｓ  Ｓｔ−６０４（Ｂｅｍｉｓ  Ａｓｓｏｃｉａｔｅｓ  Ｉｎｃ．，Ｓｈｉｒｌｅｙ，ＭＡ）であった。図４を参照すると、それぞれ長さ１５２．４ｍｍおよび幅２０ｍｍの２つのバスバー３７および３８がある。バスバー３７に取り付けられた５つの銀電極の指３３、およびバスバー３８に取り付けられた別の５つの銀電極の指３４があった。それぞれの電極の指の長さは１６１．２ｍｍ対の間であり、幅は３ｍｍであった。隣接した電極の指の３３および３４のそれぞれのには、１１個の等しく間隔を空けた抵抗パッチ３５があり、９つの一連のこのような抵抗パッチ群があり、合計数９９個の抵抗パッチをなした。それぞれの抵抗パッチの寸法は、電極の指に沿って２ｍｍならびに隣接した電極の指３３および３４間で１３．６ｍｍであった。抵抗パッチ間の空所３６は、１２．７ｍｍ長であった。バスバーの幅を含めて、ヒータの全幅は、２０３．２ｍｍであり、バスバーの長さと同じであるヒータの長さは、１５２．４ｍｍであった。
【００２５】
抵抗パッチは、抵抗２６０オーム／ｓｑの印刷カーボンペースト（ＤｕＰｏｎｔ（商標）ＰＥ−６７１，ＤｕＰｏｎｔ  Ｃｏ．，Ｗｉｌｍｉｎｇｔｏｎ，ＤＥ）であった。バスバーおよび電極は、抵抗０．０２５オーム／ｓｑの印刷銀ペースト（ＤｕＰｏｎｔ（商標）ＰＥ  ８７４，ＤｕＰｏｎｔ  Ｃｏ．，Ｗｉｌｍｉｎｇｔｏｎ，ＤＥ）であった。
【００２６】
表１は、印加された電圧に対して得られた最高温度を示す。
【００２７】
【表１】
2018178349.tif 000003
【００２８】
実施例２
図４に示されるとおりの、実施例１のものよりもより蜜に与えられた抵抗パッチのヒータを作製および試験した。使用した基材は、厚さ０．０９ｍｍの熱可塑性ポリウレタンＢｅｍｉｓ  Ｓｔ−６０４（Ｂｅｍｉｓ  Ａｓｓｏｃｉａｔｅｓ  Ｉｎｃ．，Ｓｈｉｒｌｅｙ，ＭＡ）であった。図４を参照すると、それぞれ長さ１５２．４ｍｍおよび幅２０ｍｍの２つのバスバー３７および３８があった。バスバー３７に取り付けられた４つの銀電極の指３３およびバスバー３８に取り付けられた別の４つの銀電子の指３４があった。それぞれの電極の指の長さは、１６０．５ｍｍであり、幅は、３ｍｍであった。隣接した電極の指３３および３４のそれぞれの対の間には、３８個の等しく間隔を空けた抵抗パッチ３５があり、７つの一連のこのような抵抗パッチ群があり、合計で２６６個の抵抗パッチをなした。それぞれの抵抗パッチの寸法は、電極の指に沿って２ｍｍであり、隣接した電極の指３３および３４間で１９．５ｍｍであった。抵抗パッチ間の空所３６は、２．２ｍｍ長であった。バスバーの幅を含めて、ヒータの全幅は、２０３．２ｍｍであり、ヒータの長さは、バスバーの長さと同じ、１５２．４ｍｍであった。
【００２９】
抵抗パッチは、抵抗２６０オーム／ｓｑの印刷カーボンペースト（ＤｕＰｏｎｔ（商標）ＰＥ−６７１，ＤｕＰｏｎｔ  Ｃｏ．，Ｗｉｌｍｉｎｇｔｏｎ，ＤＥ）であった。バスバーおよび電極は、抵抗０．０２５オーム／ｓｑの印刷銀ペースト（ＤｕＰｏｎｔ（商標）ＰＥ  ８７４，ＤｕＰｏｎｔ  Ｃｏ．，Ｗｉｌｍｉｎｇｔｏｎ，ＤＥ）であった。
【００３０】
表２は、印加された電圧に対して得られた最高温度を示す。
【００３１】
【表２】
2018178349.tif 000004
【００３２】
実施例３
図４に示されるとおりの、抵抗パッチが与えられたヒータを作製および試験した。使用した基材は、厚さ０．０９ｍｍの熱可塑性ポリウレタンＢｅｍｉｓ  Ｓｔ−６０４（Ｂｅｍｉｓ  Ａｓｓｏｃｉａｔｅｓ  Ｉｎｃ．，Ｓｈｉｒｌｅｙ，ＭＡ）であった。図４を参照すると、それぞれ長さ１５２．４ｍｍおよび幅２０ｍｍの２つのバスバー３７および３８があった。バスバー３７に取り付けられた５つの銀電極の指３３およびバスバー３８に取り付けられた別の５つの銀電極の指３４があった。それぞれの電極の指の長さは１６１．２ｍｍであり、幅は３ｍｍであった。隣接した電極の指３３および３４のそれぞれの対の間には、１４個の等しく間隔を空けた抵抗パッチ３５があり、９つの一連のこのような抵抗パッチ群があり、合計数１２６個の抵抗パッチをなした。それぞれの抵抗パッチの寸法は、電極指に沿って４ｍｍであり、隣接した電極の指３３および３４間で１３．６ｍｍであった。抵抗パッチ間の空所３６は、７．３ｍｍ長であった。バスバーの幅を含めてヒータの全幅は、２０３．２ｍｍであり、バスバーの長さと同じであるヒータの長さは、１５２．４ｍｍであった。
【００３３】
抵抗パッチは、抵抗２６０オーム／ｓｑの印刷カーボンペースト（ＤｕＰｏｎｔ（商標）ＰＥ−６７１，ＤｕＰｏｎｔ  Ｃｏ．，Ｗｉｌｍｉｎｇｔｏｎ，ＤＥ）であった。バスバーおよび電極は、抵抗０．０２５オーム／ｓｑの印刷銀ペースト（ＤｕＰｏｎｔ（商標）ＰＥ  ８７４，ＤｕＰｏｎｔ  Ｃｏ．，Ｗｉｌｍｉｎｇｔｏｎ，ＤＥ）であった。
【００３４】
このヒータを通気性にするために、隣接した抵抗パッチ間のそれぞれの空所３６の中心に開口部を作った。それぞれの孔は、５ｍｍの直径を有した。合計で１１７個のこのような孔があり、それらは、影響を受けた抵抗パッチまたは導電性経路がなく、かつヒータの電気動作が妨げられないように空所３６の中心に意図的に位置付けされた。
【００３５】
表３は、印加された電圧に対して得られた最高温度を示す。
【００３６】
【表３】
2018178349.tif 000005
【符号の説明】
【００３７】
１  ヒータ
２  個別ヒータ
３  バスバー
４  バスバー
５  抵抗材料
６  電極
７  電極
８  バスバー
９  基材の領域
１１  ヒータ
１３  バスバー
１４  バスバー
１５  抵抗材料
１６  接続導体
１７  接続導体
１８  基材の領域
２１  ヒータ
２２  個別ヒータ
２３  電極
２４  電極
２５  抵抗材料ストリップ
２６  露出基材
２７  バスバー
２８  バスバー
２９  端子
３０  端子
３１  ヒータ
３２  個別ヒータ
３３  電極
３４  電極
３５  抵抗材料パッチ
３６  空所
３７  バスバー
３８  バスバー
４１  ヒータ
４２  個別ヒータ
４３  電極
４４  電極
４５  抵抗材料パッチ
４６  空所
４７  バスバー
４８  バスバー
５１  ヒータ
５２  個別ヒータ
５３  スパイラル電極
５４  スパイラル電極
５５  抵抗材料のパッチ
５６  露出基材
【図１】
2018178349.tif 000006
【図２】
2018178349.tif 000007
【図３】
2018178349.tif 000008
【図４】
2018178349.tif 000009
【図５】
2018178349.tif 000010
【図６】
2018178349.tif 000011
【外国語明細書】
2018178349000001.pdf